【手続補正書】
【提出日】平成16年1月13日(2004.1.13)
【手続補正１】
【補正対象書類名】明細書
【補正対象項目名】発明の名称
【補正方法】変更
【補正の内容】
【発明の名称】受信システム及び受信方法
【手続補正２】
【補正対象書類名】明細書
【補正対象項目名】特許請求の範囲
【補正方法】変更
【補正の内容】
【特許請求の範囲】
【請求項１】
入力信号の位相と既知信号の位相とを比較して位相比較結果を出力する位相比較部、
前記入力信号の振幅と前記既知信号の振幅とを比較して振幅比較結果を出力する振幅比較部、
前記位相比較結果と前記振幅比較結果とに基づいて、前記入力信号に対応するベースバンド信号を出力するベースバンド信号発生部、
前記振幅比較結果が所定の値以上の場合には、前記振幅比較結果と非線形の関係にあって、前記振幅比較結果と前記重み付け情報とが線形関係にある場合の前記重み付け情報よりも小さい前記重み付け情報を出力し、前記振幅比較結果が所定の値より小さい場合には、前記重み付け情報を略０として出力する非線形変換部、
および、前記ベースバンド信号に対応する信号に前記重み付け情報を乗算する乗算部を備える受信システム。
【請求項２】
前記非線形変換部は、前記重み付け情報を格納されたメモリを含んで構成されることを特徴とする請求項１に記載の受信システム。
【請求項３】
前記非線形変換部から出力された前記重み付け情報のビット数を削減して削減重み付け情報を出力するリミッタ部、
および、前記削減重み付け情報のビット数をもとのビット数に戻して得られる拡張重み付け情報を出力するビット拡張部をさらに備え、
前記乗算部は、前記拡張重み付け情報を前記ベースバンド信号に対応する信号に乗算することを特徴とする請求項１または２に記載の受信システム。
【請求項４】
前記ビット拡張部は、拡張の対象となる削減重み付け情報よりも、前に入力された削減重み付け情報と後に入力された削減重み付け情報とに基づいて、前記削減重み付け情報のビット数をもとのビット数にすることを特徴とする請求項３に記載の受信システム。
【請求項５】
前記非線形変換部から出力される前記重み付け情報を第１の重み付け情報とし、
前記振幅比較結果が前記所定の値より小さい場合に、前記振幅比較結果と線形関係にある第２の重み付け情報を出力する変換部、
および、前記振幅比較結果と前記位相比較結果とに基づいて、前記第１の重み付け情報または前記第２の重み付け情報のいずれかの重み付け情報を選択して出力する選択部をさらに備え、
前記乗算部は、前記選択部から出力された重み付け情報を前記ベースバンド信号に対応する信号に乗算することを特徴とする請求項１ないし４のいずれかに記載の受信システム。
【請求項６】
前記乗算部から出力された信号を復号して、当該復号の結果得られる誤り符号量を出力する復号処理部、
および、前記誤り符号量に基づいて前記ベースバンド信号発生部から出力される前記ベースバンド信号の書き換えを行なうベースバンド信号書換え部をさらに備える請求項１ないし５のいずれかに記載の受信システム。
【請求項７】
前記非線形変換部から出力された前記重み付け情報のビット数を削減して削減重み付け情報を出力するリミッタ部を第１のリミッタ部とし、
前記乗算部から出力された信号を復号して、当該復号の結果得られる誤り符号量を出力する復号処理部、
前記誤り符号量に基づいて前記ベースバンド信号発生部から出力される前記ベースバンド信号の書き換えを行なうベースバンド信号書換え部、
前記ベースバンド信号発生部から出力された前記ベースバンド信号のビット数を削減する第２のリミッタ部をさらに備える請求項３または４に記載の受信システム。
【請求項８】
前記重み付け情報は、前記振幅比較結果に応じた電力に対応する電力情報であることを特徴とする請求項１ないし７のいずれかに記載の受信システム。
【請求項９】
入力信号の位相と既知信号の位相とを比較して位相比較結果を出力する位相比較部、
前記入力信号の振幅と前記既知信号の振幅とを比較して振幅比較結果を出力する振幅比較部、
前記位相比較結果と前記振幅比較結果とに基づいて、前記入力信号に対応するベースバンド信号を出力するベースバンド信号発生部、
前記ベースバンド信号に対応する信号のビット数を削減して削減ベースバンド信号を出力するリミッタ部を備える受信システム。
【請求項１０】
前記入力信号はＯＦＤＭ変調信号であって、
前記既知信号は、パイロット信号であることを特徴とする請求項１ないし９のいずれかに記載の受信システム。
【請求項１１】
入力信号の位相と既知信号の位相とを比較して位相比較結果を出力し、
前記入力信号の振幅と前記既知信号の振幅とを比較して振幅比較結果を出力し、
前記位相比較結果と前記振幅比較結果とに基づいて、前記入力信号に対応するベースバンド信号を出力し、
前記振幅比較結果が所定の値以上の場合には、前記振幅比較結果と非線形の関係にあって、前記振幅比較結果と前記重み付け情報とが線形関係ある場合の前記重み付け情報よりも小さい前記重み付け情報を出力し、前記振幅比較結果が所定の値より小さい場合には、前記重み付け情報を略０として出力し、
および、前記ベースバンド信号に対応する信号に前記重み付け情報を乗算することを含む受信方法。
【手続補正３】
【補正対象書類名】明細書
【補正対象項目名】０００１
【補正方法】変更
【補正の内容】
【０００１】
【発明の属する技術分野】
この発明は受信システム及び受信方法に関し、特にビタビ復号に用いる軟判定用メトリックを算出する軟判定回路のビタビデコードを有するデジタル放送受信システムに関するものである。


【手続補正４】
【補正対象書類名】明細書
【補正対象項目名】００３９
【補正方法】変更
【補正の内容】
【００３９】
本発明は上記の問題点を解決するために、受信したデータがマルチパス等の影響で電力情報等の重み付け情報が変動した時でも、データ復号部の誤り訂正能力の低下を最小限に抑えることができる受信システム及び受信方法を得ることを目的とする。


【手続補正５】
【補正対象書類名】明細書
【補正対象項目名】００４０
【補正方法】変更
【補正の内容】
【００４０】
【課題を解決するための手段】
この発明に係る受信システムは、入力信号の位相と既知信号の位相とを比較して位相比較結果を出力する位相比較部、前記入力信号の振幅と前記既知信号の振幅とを比較して振幅比較結果を出力する振幅比較部、前記位相比較結果と前記振幅比較結果とに基づいて、前記入力信号に対応するベースバンド信号を出力するベースバンド信号発生部、前記振幅比較結果が所定の値以上の場合には、前記振幅比較結果と非線形の関係にあって、前記振幅比較結果と前記重み付け情報とが線形関係にある場合の前記重み付け情報よりも小さい前記重み付け情報を出力し、前記振幅比較結果が所定の値より小さい場合には、前記重み付け情報を略０として出力する非線形変換部、および、前記ベースバンド信号に対応する信号に前記重み付け情報を乗算する乗算部を備える。
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】削除
【補正の内容】
【手続補正８】
【補正対象書類名】明細書
【補正対象項目名】００４３
【補正方法】削除
【補正の内容】
【手続補正９】
【補正対象書類名】明細書
【補正対象項目名】００４４
【補正方法】削除
【補正の内容】
【手続補正１０】
【補正対象書類名】明細書
【補正対象項目名】００４５
【補正方法】削除
【補正の内容】
【手続補正１１】
【補正対象書類名】明細書
【補正対象項目名】００４６
【補正方法】削除
【補正の内容】
【手続補正１２】
【補正対象書類名】明細書
【補正対象項目名】０１１３
【補正方法】変更
【補正の内容】
【０１１３】
【発明の効果】
以上説明したように、本発明に係る受信システムによれば、データ復号部の誤り訂正能力の向上を図ることができる。
【手続補正１３】
【補正対象書類名】明細書
【補正対象項目名】０１１４
【補正方法】削除
【補正の内容】
【手続補正１４】
【補正対象書類名】明細書
【補正対象項目名】０１１５
【補正方法】削除
【補正の内容】
【手続補正１５】
【補正対象書類名】明細書
【補正対象項目名】０１１６
【補正方法】削除
【補正の内容】
【手続補正１６】
【補正対象書類名】明細書
【補正対象項目名】０１１７
【補正方法】削除
【補正の内容】
【手続補正１７】
【補正対象書類名】明細書
【補正対象項目名】０１１８
【補正方法】削除
【補正の内容】
【手続補正１８】
【補正対象書類名】明細書
【補正対象項目名】０１１９
【補正方法】削除
【補正の内容】
【手続補正１９】
【補正対象書類名】明細書
【補正対象項目名】０１２０
【補正方法】削除
【補正の内容】
【手続補正２０】
【補正対象書類名】明細書
【補正対象項目名】０１２１
【補正方法】削除
【補正の内容】